(57)【要約】      （修正有）【課題】素材美のある木造の建物の耐力壁を、１人の作業者でも簡単に構築できる建築材料の提供。【解決手段】  ２枚の側板２と複数枚の間柱１で構成される木製中空ブロックで、側板の内側に間柱を嵌め込む溝７を垂直に施工し、間柱を側板上端からホゾ状に突出して嵌め込み、ネジ３にて固定したものである。中空ブロックを積み上げて壁を構築する場合、下段のブロックのホゾ状の間柱が上段のブロックの側板のホゾ部分に差し込まれ、水平的なずれが起きないように構成される。【選択図】図１
2007278046.tif 000002
【特許請求の範囲】
【請求項１】
２枚の側板と複数枚の間柱で構成される木製中空ブロックであって、間柱がホゾの機能を持ち、側板がホゾ穴の機能を持つことを特徴とする木組ブロックである。
【請求項２】
前記間柱はホゾとして側板に容易に差し込まれるように、間柱上部の４面を角面取り加工したことを特徴とする請求項１記載の木組ブロック。
【発明の詳細な説明】
【技術分野】
【０００１】  この発明は、組積造り様、丸太組み風、枠組壁工法的ながらも、新たなる木造構法ともいえる壁体構造を提供する建築部材に関する。
【背景技術】
【０００２】  組積造りは石材やレンガなどを芋目地が出来ないようにモルタルで接着して積み上げた壁構造になる。【０００３】  丸太組み構法は長大な丸太や角材を組み込んだりダボを打ち込みながら横に積み上げた壁構造になる。【０００４】  枠組壁工法は間柱状の枠材に合板を釘留めして建て上げた壁構造になる。
【発明の開示】
【発明が解決しようとする課題】
【０００５】  組積造りの難点は、地震動に対する強度が小さいことである。【０００６】  丸太組構法の難点は、材料の丸太が重く、少人数での人力での施工が出来ないことにある。また、セトリングと呼ばれる壁の沈み込みが起きて開口部などに複雑な施工が必要となることである。【０００７】  枠組壁工法の難点は、建ち上がり時、合板で覆われて素材美を感じられないことである。【０００８】  これらの難点を克服した、素材美のある木造の建物の耐力壁を、１人の作業者でも簡単に構築できる建築材料の提供が望まれていた。
【課題を解決するための手段】
【０００９】  上述の目的を達成する本発明の木組ブロックは、２枚の側板と複数枚の間柱で構成される木製中空ブロックである。【００１０】  本木組ブロックの構造は、側板の内側に間柱を嵌め込む溝を垂直に施工し、間柱を側板上端からホゾ状に突出して嵌め込み、ネジにて固定したものである。【００１１】  好適には、側板は断熱性や雨仕舞を考慮して４面実加工とし、間柱を嵌め込む溝の深さは板厚の１／３程度とする。【００１２】  基本サイズの木組ブロックの場合、間柱の枚数は偶数で８枚か１０枚が適している。隣接する間柱間の内々は均等とし、本ブロック両端の空きは前記間柱間の１／２とする。側板間の内々は隣接する間柱間の外々とする。【００１３】  この木組ブロックの１段目を図示していない土台に嵌め込みネジ留めする。次に２段目を目違いに嵌め込みネジ留めしていく。このとき間柱は上下が常に連続する。これを順次小屋組みまで積み上げて壁を構築する。【００１４】  開口部（窓、出入口）では半分の長さの木組ブロックを１段おきに使用して開口部側端を揃える。また、開口部の直上部は、開口幅に基本の木組ブロックの長さ分を加えた長さ
2007278046.tif 000003
【００１５】  出隅入隅部では基本の木組ブロックを交互に組付け、隅用の木組ブロックを１段おきに使用する。間仕切り壁交差部でも前記と近似の組付け方法で行う。
【発明の効果】
【００１６】  以上のように本発明の木組ブロックの耐力壁は、軽く小型で扱いやすく作業者１人でも構築でき、工場生産された少品種の組み合わせであるから施工が簡易である。また、間柱が側板の溝に連続して嵌め込まれていくので高いせん断耐力と耐荷重を持つことができる。また建築物の高さが間柱によって構成されるのでセトリングの問題は無い。間柱間の縦方向の連続した空きに電気配線や設備配管が行える。構造の建ちあがり段階で木材に覆われて美しい。仕上げ工事が必要ないので工期の短縮やコストの節減が出来る。
【発明を実施するための最良の形態】
【００１７】  以下、本発明の実施の形態を図面に基づき詳細に説明する。【００１８】  図１〜図７は本発明の第１の実施の形態に係わり、図１はその基本ブロックＡの外観斜視図、図２はその開口部用ブロックＢの外観斜視図、図３はその隅用ブロックＣの外観斜視図、図４は基本ブロックＡの上下段３個の基本的な組み合わせの外観斜視図、図５は基
2007278046.tif 000004
は木組ブロックで構成された壁面の部分の外観斜視図である。【００１９】  図１に示すように、本木組ブロックは溝７を掘った側板２に、間柱１をホゾ状に突出させて組み込み、木ネジ３で留めつけたものである。【００２０】  図２は開口部に、図３は隅部に使用する木組ブロックで、間柱間（内々）４は図１の間柱間（内々）４と同じで、ブロック両端の空き５も図１のブロック両端の空き５と同じである。なお、ブロック両端の空き５は間柱間（内々）４の１／２の長さである。【００２１】  図１〜図３で間柱の各寸法も、側板の長さ以外の各寸法も、ホゾ状の突出高さ６も各々同じである。【００２２】  図４に示すのは、通常の壁の基本ブロックＡの積み上げ方である。下段のブロックのホゾ状の間柱が、上段のブロックの側板の溝に差し込まれ、水平的なズレが起きないように構成される。また、本ブロックは目違いに積まれ、上下の間柱は垂直に連続し、ホゾ部分と側板がネジ留めされるため、圧縮力にも引張力にも面外座屈にも対抗できる。【００２３】  図５に示すのは、出隅の壁の基本ブロックＡの積み上げ方である。間柱間（外々）８と側板間（内々）９が同じなので、下段のブロックの隣接する２枚の間柱の外々を、上段のブロックの側板間の内々に嵌め込むことができる。このとき、下段のブロックの隣接する２枚の間柱と重なる、上段のブロックの隣接する２枚の間柱の外々を、下段のブロックの側板間の内々に揃えた上、ホゾ部分と側板をネジ留めする。【００２４】
2007278046.tif 000005
側板の高さからホゾ状の突出高さ６を差し引いた寸法とする。【００２５】  図８に示されるように、本発明による一例としての壁体は、基本ブロックＡ、開口部用
2007278046.tif 000006
【００２６】  図９は本発明の第２の実施の形態に係わる間柱上部の外観斜視図である。間柱上部の４周の角を面取りすることにより、木組ブロックを直列に積み上げるときも直交に積み上げるときも、間柱を側板に嵌め込みやすくすることができる。
【実施例】
【００２７】  木組ブロックの大きさは例えば、長さ８８０ｍｍ、幅１９４ｍｍ、高さ（働き高さ）２３０ｍｍ、側板や間柱の板厚２８ｍｍ、間柱のホゾ状飛び出し高さ６０ｍｍ、重量１０ｋｇ程度を基本ブロックのサイズとする。これにより設計が標準化され、施工が容易になる。【００２８】  以上、本発明の実施の形態及び実施例を説明したが、本発明の範囲はこれに限定されるものではない。たとえば、間柱の枚数や、側板と間柱との接合方法（溝の形状、接着剤の有無）、ネジの形状や本数は、状況に応じて適宜選択されるものである。【００２９】  また、木組ブロックの間柱や側板の材質は無垢の木材が望ましいが、集成材でも有効性は失われないし、その他の木質材料でも可能である。【００３０】  さらに、側板間隔や間柱間隔まで適宜に調整し、木造軸組み構法の耐力壁に利用することも可能である。
【産業上の利用可能性】
【００３１】  本発明は建築材の製造、販売に係わる産業で利用することが出来る。
【図面の簡単な説明】
【００３２】
【図１】基本ブロックＡの外観斜視図
【図２】開口部用ブロックＢの外観斜視図
【図３】隅用ブロックＣの外観斜視図
【図４】基本ブロックＡの上下段３個の基本的な組み合わせの外観斜視図
【図５】基本ブロックＡの上下段２個の出隅の組み合わせの外観斜視図
2007278046.tif 000007
【図８】木組ブロックで構成された壁面の部分の外観斜視図
【図９】間柱上部の外観斜視図
【符号の説明】
【００３３】  １        間柱
２        側板
３        ネジ
４        間柱間内々
５        ブロック両端の空き
６        ホゾ状の突出高さ
７        側板の溝
８        間柱間外々
９        側板間内々
2007278046.tif 000008
１２        基礎
Ａ        基本ブロック
Ｂ        開口部用ブロック
Ｃ        隅用ブロック
2007278046.tif 000009
【図１】
2007278046.tif 000010
【図２】
2007278046.tif 000011
【図３】
2007278046.tif 000012
【図４】
2007278046.tif 000013
【図５】
2007278046.tif 000014
【図６】
2007278046.tif 000015
【図７】
2007278046.tif 000016
【図８】
2007278046.tif 000017
【図９】
2007278046.tif 000018